(57)【要約】【課題】スレート屋根に飛散防止壁用の支柱を簡単且つ短時間で設置することが可能な支柱固定具を提供する。【解決手段】本発明に係る支柱固定具８０ａ、８０ｂは、スレート屋根瓦１０の重畳部分をクランプすることで、支柱固定具８０ａ、８０ｂをスレート屋根に簡単且つ短時間で固定することができる。そして、この支柱固定具８０ａ、８０ｂに支持フレーム４２、横フレーム４４等を適宜固定し、固定した支持フレーム４２で壁部材２０を保持することで飛散防止壁を簡単且つ短時間で構築することができる。また、飛散防止壁を構築する支持フレーム４２は任意の角度で固定可能であるため、スレート屋根の斜度が如何なる角度であっても飛散防止壁を適切な角度で立設することができる。【選択図】図１
2015017420.tif 000002
【特許請求の範囲】
【請求項１】
スレート屋根に固定して洗浄水の飛散を防止する飛散防止壁を構築するための支柱固定具であって、
スレート屋根瓦の重畳部分に先側を差し込むことが可能なベース板と、
前記ベース板上に固定される本体部と、
前記本体部にスライド可能な状態で設置され、前記ベース板の先側とでスレート屋根瓦を挟み込むクランプフレームと、
前記クランプフレームを前記ベース板側に押圧するクランプ部と、を有することを特徴とする支柱固定具。
【請求項２】
飛散防止壁を支持するための支持フレームと、
本体部に設けられ前記支持フレームを任意の角度で固定する支持フレーム連結部と、をさらに有することを特徴とする請求項１記載の支柱固定具。
【請求項３】
本体部が横フレームを設置するための横フレーム連結部をさらに有することを特徴とする請求項１または請求項２に記載の支柱固定具。
【請求項４】
飛散防止壁を構成する壁部材が挿し込まれる溝を有するとともにスレート屋根の縁に沿って設置されるガイドと、スレート屋根に固定される横フレームと、前記横フレームに設置され前記ガイドをスレート屋根側に押圧して固定するガイドクランプと、を有する壁部材設置ガイド部を備えたことを特徴とする請求項３に記載の支柱固定具。
【発明の詳細な説明】
【技術分野】
【０００１】
本発明は、建築物の屋根に洗浄水の飛散を防止する飛散防止壁を構築するための支柱固定具に関するものである。
【背景技術】
【０００２】
近年、一般住宅等の建築物の屋根材として、例えばコロニアル（登録商標）や、カラーベスト（登録商標）などのスレート屋根瓦が多く用いられている。ただし、屋根瓦には経年により汚れやコケ等が付着する。この汚れやコケ等は建築物の美観を損ねる他、冷暖房効率の低下等を引き起こすため、洗浄を行って除去することが好ましい。また、スレート屋根瓦は経年により色褪せが生じる場合がある。この対策としてはスレート屋根瓦を塗装することが有効であるが、スレート屋根瓦の塗装を行う際には、事前に屋根の洗浄を行う必要がある。
【０００３】
スレート屋根の洗浄は、作業者が洗浄水を高圧で噴射して行うことが一般的である。しかしながら、この洗浄方法は洗浄水が周囲に飛散し、近隣住宅の迷惑となる場合がある。この対策としては、洗浄水が周囲に飛散しないよう屋根の周囲をシートや板等の飛散防止壁で囲うことが考えられる。しかしながら、地上から足場を組み上げて飛散防止壁を形成することは時間と労力が掛かり、コストに見合うものではない。この問題点に対し、下記［特許文献１］には、屋根上に支柱を取り付けて飛散防止壁を構築する施工方法に関する発明が開示されている。
【先行技術文献】
【特許文献】
【０００４】
【特許文献１】国際公開第２００７／０２３６５６号パンフレット
【発明の概要】
【発明が解決しようとする課題】
【０００５】
しかしながら、［特許文献１］に記載の発明は、屋根瓦のフックボルトを利用して支柱を設置するものであり、屋根上にフックボルトが存在しない一般的なスレート屋根には使用することができないという問題点がある。
【０００６】
本発明は上記事情に鑑みてなされたものであり、スレート屋根に飛散防止壁用の支柱を簡単且つ短時間で設置することが可能な支柱固定具を提供することを目的とする。
【課題を解決するための手段】
【０００７】
本発明は、
（１）スレート屋根に固定して洗浄水の飛散を防止する飛散防止壁を構築するための支柱固定具であって、
スレート屋根瓦１０の重畳部分に先側を差し込むことが可能なベース板３２と、
前記ベース板３２上に固定される本体部３４と、
前記本体部３４にスライド可能な状態で設置され、前記ベース板３２の先側とでスレート屋根瓦１０を挟み込むクランプフレーム４０と、
前記クランプフレーム４０を前記ベース板３２側に押圧するクランプ部５０と、を有することを特徴とする支柱固定具８０ａ、８０ｂを提供することにより、上記課題を解決する。
（２）飛散防止壁を支持するための支持フレーム４２と、
本体部３４に設けられ前記支持フレーム４２を任意の角度で固定する支持フレーム連結部３８と、をさらに有することを特徴とする上記（１）記載の支柱固定具８０ｂを提供することにより、上記課題を解決する。
（３）本体部３４が横フレーム４４を設置するための横フレーム連結部３６をさらに有することを特徴とする上記（１）または（２）に記載の支柱固定具８０ａ、８０ｂを提供することにより、上記課題を解決する。
（４）飛散防止壁を構成する壁部材２０が挿し込まれる溝２４ａを有するとともにスレート屋根の縁に沿って設置されるガイド２４と、スレート屋根に固定される横フレーム４４と、前記横フレーム４４に設置され前記ガイド２４をスレート屋根側に押圧して固定するガイドクランプ５２と、を有する壁部材設置ガイド部６０を備えたことを特徴とする上記（３）に記載の支柱固定具８０ａ、８０ｂを提供することにより、上記課題を解決する。
【発明の効果】
【０００８】
本発明に係る支柱固定具は、スレート屋根に飛散防止壁を構築するための支柱を簡単且つ短時間で設置することができる。これにより、スレート屋根洗浄時の洗浄水の飛散を防止する飛散防止壁を簡単且つ低コストで構築することができる。また、壁部材設置ガイド部を備えることで、雨樋等が無く壁部材の下端の保持が困難な側の屋根の縁にも壁部材を簡単且つ短時間で設置することができる。
【図面の簡単な説明】
【０００９】
【図１】本発明に係る支柱固定具を示す図である。
【図２】本発明に係る支柱固定具の設置方法を説明する図である。
【図３】本発明に係る支柱固定具の使用方法を説明する図である。
【図４】本発明に係る壁部材設置ガイド部を説明する図である。
【図５】本発明に係る第１の形態の支柱固定具の使用方法を説明する図である。
【図６】本発明に係る支柱固定具を用いた足場の設置例を説明する図である。
【発明を実施するための形態】
【００１０】
本発明に係る支柱固定具の実施の形態について図面に基づいて説明する。図１（ａ）は本発明に係る第１の形態の支柱固定具８０ａを示す斜視図であり、図１（ｂ）は本発明に係る第２の形態の支柱固定具８０ｂを示す斜視図である。
【００１１】
図１に示す、本発明に係る支柱固定具８０ａ、８０ｂは、先側が狭まった略台形形状のベース板３２と、このベース板３２上に固定される本体部３４と、本体部３４に形成された貫通孔にスライド可能な状態で設置されるクランプフレーム４０と、本体部３４の先側に設置されクランプフレーム４０をベース板３２側に押圧するクランプ部５０と、を有している。本体部３４の貫通孔は本体部３４の前後方向に貫通するように形成され、よってクランプフレーム４０はベース板３２の長手方向にスライド可能である。また、本体部３４には後述の横フレーム４４を設置する横フレーム連結部３６を有している。
【００１２】
また、本発明に係る第２の形態の支柱固定具８０ｂは上記の構成に加えて、飛散防止壁を支持する支柱として機能する支持フレーム４２と、この支持フレーム４２を連結する支持フレーム連結部３８と、を有している。尚、この支持フレーム連結部３８は例えばネジ止め等により、本体部３４と支持フレーム４２とを任意の角度で固定することが可能である。
【００１３】
次に、支柱固定具８０ａ、８０ｂの設置方法を第２の形態の支柱固定具８０ｂを例に図２を用いて説明する。支柱固定具８０ａ、８０ｂをスレート屋根に固定する場合、図２に示すように、先ず、ベース板３２の先側をスレート屋根瓦１０の重畳部分に差し入れる。このとき、クランプフレーム４０はスレート屋根瓦１０の上側に位置する。よって、スレート屋根瓦１０はベース板３２の先側とクランプフレーム４０とで挟まれる形となる。この状態でクランプ部５０のノブを回し、クランプフレーム４０をベース板３２側に押圧する。これにより、スレート屋根瓦１０はベース板３２の先側とクランプフレーム４０とでクランプされ、支柱固定具８０ａ、８０ｂが屋根上に固定される。
【００１４】
次に、支柱固定具８０ａ、８０ｂの使用方法を第２の形態の支柱固定具８０ｂを例に図３を用いて説明する。尚、図３は支柱固定具８０を切妻屋根に適用した例を示している。
【００１５】
先ず、スレート屋根の所定の位置に支柱固定具８０ｂを上記の方法によって固定する。次に、飛散防止壁を構成する壁部材２０をスレート屋根を囲うように配置する。この際、屋根の縁に雨樋５が設置されている場合には壁部材２０の下端をこの雨樋５内に配置することが好ましい。この構成によれば飛散防止壁に当たった洗浄水を雨樋５を介して雨水溝に直接排水することができる。尚、壁部材２０としては、図３に示すように、線材で構成されたフェンスを用いることが軽量化の面から好ましい。ただし、壁部材２０は特にフェンスに限定されるわけでは無く、板材や柵、枠材等、飛散防止壁を構築可能な如何なる部材を用いても良い。
【００１６】
また、切妻屋根の短辺側のように、雨樋５が設置されていない屋根の縁では、例えば図４に示すような、壁部材設置ガイド部６０を設置して壁部材２０の下端を保持することが好ましい。この壁部材設置ガイド部６０は、壁部材２０が挿し込まれる溝２４ａを有するガイド２４と、例えば支柱固定具８０ａ、８０ｂを介してスレート屋根に固定される横フレーム４４と、横フレーム４４に設置されガイド２４をスレート屋根側に押圧して固定するガイドクランプ５２と、を有している。
【００１７】
壁部材設置ガイド部６０を構成するガイド２４は例えば断面Ｌ字で長尺の金属板を溝２４ａの間隔を開けて２枚重ねることで構成される。尚、ガイド２４はこの構成に限定されるわけでは無く、長尺の金属板を溝２４ａを形成するように屈曲して成形しても良いし、溶接により溝２４ａを形成しても良い。また、ガイド２４はプラスチック等の合成樹脂で形成しても良い。また、横フレーム４４は支柱固定具８０ａ、８０ｂによって屋根上に固定することが好ましいが、必ずしも支柱固定具８０ａ、８０ｂで固定する必要は無く、周知のクランプ等で屋根上に固定しても良い。
【００１８】
横フレーム４４の端部にはガイドクランプ５２が設置され、このガイドクランプ５２は所定の幅を有した略長方形のクランプ板５４を有している。そして、クランプ板５４をガイド２４上に位置させた上でガイドクランプ５２のノブを回すことで、クランプ板５４が屋根側に押圧され、ガイド２４はスレート屋根上に固定される。このとき、ガイド２４と屋根との隙間には防水機能を有するテープ２６を貼付することが好ましい。このようにして固定されたガイド２４の溝２４ａには、壁部材２０の下端が挿し込まれる。尚、ガイド２４はクランプ板５４による押圧が十分に行えるよう、クランプ板５４の幅よりも広い幅寸法の平坦部分を有することが好ましい。
【００１９】
次に、支柱固定具８０ｂに設置された支持フレーム４２の角度調節を行い、この支持フレーム４２によって壁部材２０の上端を保持する。支持フレーム４２の先側は下方が開いた略コの字型のアーム部４７とし、このアーム部４７に壁部材２０の上端を嵌めることで壁部材２０を支持することが好ましい。これにより、壁部材２０がスレート屋根の縁に立設、保持される。尚、前述のように本発明に係る支柱固定具８０ｂは支持フレーム４２の角度調節が可能である。よって、スレート屋根の斜度が如何なる角度であっても壁部材２０を適切な角度で立設、支持することができる。また、支持フレーム４２は長さ調節が可能なものを用いることが好ましい。この構成によれば、支持フレーム４２の長さ調節も可能となるため、飛散防止壁の構築の自由度を更に向上させることができる。
【００２０】
そして、例えば屋根が４つの斜面で構成される寄棟屋根においては、この４つの斜面のそれぞれに支柱固定具８０ｂを設置し、支持フレーム４２で壁部材２０を保持することで、屋根の周囲を囲うように壁部材２０を立設することができる。
【００２１】
また、２つの斜面で構成される切妻屋根の場合には、図３に示すように、支柱固定具８０ｂ（もしくは支柱固定具８０ａ）を横方向に並べて固定するとともに、支柱固定具８０ａ、８０ｂの横フレーム連結部３６に横フレーム４４を架け渡して固定する。そして、この横フレーム４４の所定の位置に支持フレーム連結体４６を固定し、この支持フレーム連結体４６に支持フレーム４２を設置する。尚、この支持フレーム連結体４６も支持フレーム４２を任意の角度で固定可能である。そして、この支持フレーム４２の角度及び長さを調整して、支持フレーム４２のアーム部４７に壁部材２０の上端を嵌め込むことで屋根の短辺側に壁部材２０を立設する。これにより、切妻屋根においても周囲を囲うように壁部材２０を立設することができる。尚、従来、雨樋５等の凹みが全く存在しない切妻屋根の短辺等の屋根の縁に壁部材２０を立設することは極めて困難であった。しかしながら、壁部材設置ガイド部６０を用いることで、このような屋根の縁にも壁部材２０を簡単に立設することが可能となった。これにより、如何なるスレート屋根の周囲にも壁部材２０を立設することが可能となった。
【００２２】
そして、立設した壁部材２０の内側にシートや板（図示せず）を張り渡すことでスレート屋根を囲う飛散防止壁を構築する。尚、飛散防止壁は軽量化の面から以下のようにすることが好ましい。先ず、飛散防止壁の壁部材２０としては線材で構成されたフェンスを用いる。そして、このフェンスを支持フレーム４２で支持する。また、必要に応じてフェンス同士を針金や結束バンド等で固定する。次に、フェンスの内側下部にプラスチック製の板材を設置する。この板材としては軽量なプラスチックダンボール（プラダンボール）やプラスチックベニヤ（プラベニヤ）を用いることが好ましい。また、フェンスの内側上部には通気性を備えたメッシュ状の作業シートを張り渡す。この構成によれば、洗浄水の飛沫が直接当たる飛散防止壁の下部に板材を配して洗浄水の飛散を防止するとともに、上部には通気性を備えた作業シートを張り渡すことで飛散防止壁に対する風荷重の軽減を図ることができる。
【００２３】
次に、第１の形態の支柱固定具８０ａの使用方法を説明する。この第１の形態の支柱固定具８０ａは、例えば図５に示すように、１本のクランプフレーム４０を第１の形態の支柱固定具８０ａと第２の形態の支柱固定具８０ｂとに通し、１本のクランプフレーム４０を複数の支柱固定具８０ａ、８０ｂでスレート屋根瓦１０に固定する用途に用いる。この構成では１本の支持フレーム４２をクランプフレーム４０を介して複数の支柱固定具８０ａ、８０ｂでスレート屋根瓦１０に固定するため、支持フレーム４２を屋根上に更に強固に固定することができる。尚、第１の形態の支柱固定具８０ａはこの用途の他に、横フレーム４４を固定する目的にも使用する。
【００２４】
上記のようにして、屋根の周囲に飛散防止壁を構築した後、作業者は屋根の上に登り、洗浄水を高圧で噴射してスレート屋根瓦１０表面の洗浄を行う。このとき、屋根の洗浄に用いられた洗浄水は飛散防止壁で遮られ、飛沫等が周囲に飛散することは無い。
【００２５】
尚、作業者が屋根上で洗浄作業を行う際、屋根上には作業者用の足場を設置することが好ましい。この足場の設置は、屋根上に並べて固定した支柱固定具８０ａ、８０ｂに例えば輪状のワイヤ６６を引掛け、図６に示すように、角材等の足場材７０をワイヤ６６に通すことで簡単に行うことができる。また、支柱固定具８０ａ、８０ｂのベース板３２、本体部３４、横フレーム連結部３６、クランプフレーム４０等にワイヤ６６を係止可能なワイヤフック部材を設置して、これにワイヤ６６を設置するようにしても良い。
【００２６】
以上のように、本発明に係る支柱固定具８０ａ、８０ｂによれば、スレート屋根瓦１０の重畳部分をクランプすることで、支柱固定具８０ａ、８０ｂをスレート屋根に簡単且つ短時間で固定することができる。そして、この支柱固定具８０ａ、８０ｂに支持フレーム４２、横フレーム４４等を適宜固定し、固定した支持フレーム４２で壁部材２０を保持することで飛散防止壁を簡単且つ短時間で構築することができる。また、飛散防止壁を構築する支持フレーム４２は任意の角度で固定可能であるため、スレート屋根の斜度が如何なる角度であっても飛散防止壁を適切な角度で立設することができる。また、壁部材設置ガイド部を備えることで、雨樋等が無く壁部材の下端の保持が困難な側の屋根の縁にも壁部材を簡単且つ短時間で設置することができる。
【００２７】
尚、本例で示した支柱固定具８０ａ、８０ｂの構成は一例であり、各部の形状、寸法、角度調節機構等は上記の例に限定されるわけではなく、本発明の要旨を逸脱しない範囲で変更して実施することが可能である。
【符号の説明】
【００２８】
１０    スレート屋根瓦
２０    壁部材
２４ａ  溝
２４    ガイド
３２    ベース板
３４    本体部
３６    横フレーム連結部
３８    支持フレーム連結部
４０    クランプフレーム
４２    支持フレーム
４４    横フレーム
５０    クランプ部
５２    ガイドクランプ
６０    壁部材設置ガイド部
８０ａ、８０ｂ  支柱固定具
【図１】
2015017420.tif 000003
【図２】
2015017420.tif 000004
【図３】
2015017420.tif 000005
【図４】
2015017420.tif 000006
【図５】
2015017420.tif 000007
【図６】
2015017420.tif 000008